(57)【要約】【課題】ユーザの姿勢の影響を受けることなく、ユーザにとって視認しやすい方向で画面を表示するように表示切り替えを行うことが可能な携帯端末装置を提供する。【解決手段】本発明の携帯端末装置は、センサを用いてユーザの身体等の接触を検知する接触検知部と、画像の表示を行う表示部とを備えている。さらに、接触検知部が検知した接触検知結果に基づいて、表示部に表示する画像の表示方向を変更する表示制御部を備えている。接触検知部は、表示部を正面とした場合の長手方向側面に設けられた第一センサと、短手方向側面に設けられた第二センサとを備えている。表示制御部は、第一センサにより接触が検知された場合に、長手方向が画像の上下方向となるように、表示部を制御する。また第二センサにより接触が検知された場合に、短手方向が画像の上下方向となるように、表示部を制御する。【選択図】図１
2010113503.tif 000002
【特許請求の範囲】
【請求項１】
センサにより物体の接触を検知する接触検知部と、
画像の表示を行う表示部と
を備えた携帯端末装置において、
前記接触検知部が検知した結果に基づいて、前記表示部に表示する画像の表示方向を変更するように前記表示部を制御する表示制御部を備えたこと
を特徴とする携帯端末装置。
【請求項２】
前記接触検知部が、前記表示部を正面とした場合の長手方向側面に設けられた第一センサと、前記表示部を正面とした場合の短手方向側面に設けられた第二センサとを備え、
前記表示制御部が、前記第一センサにより接触が検知された場合に前記長手方向と前記表示部に表示される画像の上下方向とが一致するように前記表示部を制御し、前記第二センサにより接触が検知された場合に前記短手方向と前記表示部に表示される画像の上下方向とが一致するように前記表示部を制御する、
請求項１に記載の携帯端末装置。
【請求項３】
重力方向を検知し、重力方向に基づいて前記携帯端末装置の上下方向または左右方向を判定する重力方向検知部を備え、
前記表示制御部が、前記重力方向検知部により前記携帯端末装置の向きが変化したことが検知された場合に、前記接触検知部により接触検知を実施し、接触検知結果に基づいて前記表示部の制御を行う、
請求項１または請求項２に記載の携帯端末装置。
【請求項４】
前記接触検知部が、圧力センサ、赤外線センサ、またはサーモセンサを用いて、前記携帯端末装置に対する物体の接触を検知する、
請求項１〜請求項３のいずれかに記載の携帯端末装置。
【発明の詳細な説明】
【技術分野】
【０００１】
本発明は、音声通話等に用いられる携帯端末装置に関するものであり、特に画面の表示方向の切り替え機能を備えた携帯端末装置に関する。
【背景技術】
【０００２】
近年、携帯電話やＰＨＳ（Personal Handy-phone System）等の携帯端末装置の性能の進歩、特にその多機能化は著しく、携帯型のコンピュータに近い性能のものが実用化されている。携帯端末装置の中には、電話機能に加えて、インターネットアクセス機能や、ワンセグ放送を受信するテレビジョン受像機能を備えたものが存在する。
【０００３】
このような携帯端末装置が備える機能の一つとして、携帯端末装置の画面の表示方向を自動的に切り替える機能が実用化されている。例えば、モーションセンサによって検知された重力方向から、端末の向きを感知し、画面の下方向と重力方向とが一致するように、表示方向を自動的に切り替える技術が実用化されている。
【０００４】
この技術によれば、例えばユーザが携帯端末装置を縦から横に回転させた場合に、画面の表示方向が９０度回転するように、表示制御を行う。このため、ユーザが直立または座って操作している場合に、ユーザが視認しやすい状態の画面を常に表示させることが可能である。
【０００５】
また上記に関連して特許文献１には、端末に搭載されたカメラによってユーザを撮影することでユーザの顔の上下方向を認識し、顔の上方向を画面の上方向と一致させるよう表示制御を行う携帯端末装置が開示されている。
【特許文献１】特開２００７−０１７５９６号公報
【発明の開示】
【発明が解決しようとする課題】
【０００６】
しかしながら、重力方向と画面の下方向とが一致するように表示制御を行う上述の技術は、ユーザの顔の下方向と重力方向とが一致している状況でしか利用できない。例えばユーザが横たわった状態で携帯端末装置を操作する場合、ユーザの顔の下方向と重力方向とが必ずしも一致しない。このため、画面の上下方向とユーザの顔の上下方向とが異なった状態となる場合がある。
【０００７】
また、特許文献１の技術は、ユーザが横たわっている場合でも、ユーザの顔の上下方向にあわせて画面を表示することが可能だが、暗い場所等、カメラがユーザの顔を認識しづらい状況では利用することができないという問題がある。
【０００８】
本発明は、上記問題に鑑みてなされたものであり、その目的は、ユーザが画面を見る際の姿勢の影響を受けることなく、ユーザにとって視認しやすい方向で画面を表示するように表示制御が可能な、携帯端末装置を提供することにある。
【課題を解決するための手段】
【０００９】
上記目的を達成するために本発明の携帯端末装置は、センサにより物体の接触を検知する接触検知部と、画像の表示を行う表示部とを備えた携帯端末装置において、前記接触検知部が検知した結果に基づいて、前記表示部に表示する画像の表示方向を変更するように前記表示部を制御する表示制御部を備えたことを特徴としている。
【００１０】
この構成によると、本発明の携帯端末装置は、圧力センサ等のセンサを用いてユーザの身体等の接触を検知する接触検知部と、画像の表示を行う表示部とを備えている。さらに、接触検知部が検知した接触検知結果に基づいて、表示部に表示する画像の表示方向を変更する表示制御部を備えている。これにより例えば、ユーザが携帯端末装置を回転させる等により、ユーザが携帯端末装置を把持している位置が変化した場合に、回転後の向きにあわせて画像の表示方向を変更することができる。
【００１１】
また上記目的を達成するために本発明の携帯端末装置は、前記接触検知部が、前記表示部を正面とした場合の長手方向側面に設けられた第一センサと、前記表示部を正面とした場合の短手方向側面に設けられた第二センサとを備え、前記表示制御部が、前記第一センサにより接触が検知された場合に前記長手方向と前記表示部に表示される画像の上下方向とが一致するように前記表示部を制御し、前記第二センサにより接触が検知された場合に前記短手方向と前記表示部に表示される画像の上下方向とが一致するように前記表示部を制御する。
【００１２】
この構成によると、接触検知部が、表示部を正面とした場合の長手方向側面に設けられた第一センサと、短手方向側面に設けられた第二センサとを備えている。表示制御部は、第一センサにより接触が検知された場合に、長手方向が画像の上下方向となるように、表示部を制御する。具体的には、画像の回転処理や、画像サイズを表示画面サイズにあわせるための拡大縮小処理を行う。また第二センサにより接触が検知された場合に、短手方向が画像の上下方向となるように、表示部を制御する。このため、ユーザが携帯端末装置を把持している方向にあわせて、画像の表示を行うことができる。
【００１３】
また上記目的を達成するために本発明の携帯端末装置は、重力方向を検知し、重力方向に基づいて前記携帯端末装置の上下方向または左右方向を判定する重力方向検知部を備え、前記表示制御部が、前記重力方向検知部により前記携帯端末装置の向きが変化したことが検知された場合に、前記接触検知部により接触検知を実施し、接触検知結果に基づいて前記表示部の制御を行う。
【００１４】
この構成によると、本発明の携帯端末装置は、加速度センサ等により重力方向を検知し、重力方向に基づいて携帯端末装置の上下方向または左右方向を判定する重力方向検知部を備えている。表示制御部は、重力方向検知部により携帯端末装置の向きが変化したことが検知されたことをトリガとして、接触検知部による接触検知を行う。そして得られた接触検知結果に基づいて、表示部の制御、つまり画像の表示向きの変更を行う。これにより、例えばユーザが携帯端末装置を把持している位置を変更したとしても、携帯端末装置が回転されていない場合は表示方向の変更を行わない。このため、不要な表示方向変更が行われるのを回避できる。
【００１５】
また上記目的を達成するために本発明の携帯端末装置は、前記接触検知部が、圧力センサ、赤外線センサ、またはサーモセンサを用いて、前記携帯端末装置に対する物体の接触を検知する。
【００１６】
この構成によると、接触検知部は、圧力センサ、赤外線センサ、またはサーモセンサ等のセンサを備えている。そしてこれらのセンサを用いて、携帯端末装置に対するユーザの身体等の接触を検知する。
【発明の効果】
【００１７】
本発明の携帯端末装置によれば、ユーザが携帯端末装置を把持している方法を判別することにより、画面の表示方向の制御を行う。このため、ユーザが起立していない状態、例えば横たわった状態であったとしても、ユーザにとって好適な方向で画像を表示させることが可能である。また、把持する方法が変化したとしても、携帯端末装置が回転されたことが検知されていない場合は表示方向の変更を行わないため、不要な表示方向変更を回避できる。従って、携帯端末装置の利用時の利便性を高めることが可能である。
【発明を実施するための最良の形態】
【００１８】
以下に、本発明の第一の実施形態に係る携帯端末装置について、図面を参照しつつ説明する。なお、ここで示す実施形態は一例であり、本発明はここに示す実施形態に限定されるものではない。
【００１９】
[実施の形態１]
〈１−１．内部構成について〉
図１は、携帯電話１００（＝携帯端末装置）の内部構成を示したブロック図である。図１に示すように、本実施形態の携帯電話１００は少なくとも、主制御部１０１、アンテナ１０２、通信制御部１０３、スピーカ部１０４、音声入力部１０５、表示部１０６、キー操作部１０７、ＲＯＭ１０８、ＲＡＭ１０９、接触検知部２０１、及び表示制御部２０２を含むように構成されている。
【００２０】
主制御部１０１は、携帯電話１００を構成する各部の動作を制御することにより、通話処理や画面表示処理等を行う。主制御部１０１は、例えば複数のマイクロプロセッサから構成されている。また主制御部１０１は、各装置の制御やデータの計算、加工処理等を行う中枢部分となっている。
【００２１】
アンテナ１０２は、無線電波により基地局と無線通信を行う。通信制御部１０３は、アンテナ１０２により受信した電波を復調する受信処理を行う。そして復調した文字データ及び画像データ等の受信データを、所定の通信プロトコルに基づいて主制御部１０１に送る。また通信制御部１０３は、主制御部１０１から送られてくる文字データ及び画像データ等を変調して増幅し、アンテナ１０２を介して基地局に送信する送信処理を行う。
【００２２】
スピーカ部１０４は、主制御部１０１から与えられる音声データのＤ／Ａ（Digital-to-Analogue）変換を行い、変換により得られた音声信号に基づいて音声の出力を行う。音声入力部１０５は、マイク（不図示）より入力された音声から音声信号を生成し、さらにＡ／Ｄ（Analogue-to-Digital）変換を行うことにより音声データに変換し、主制御部１０１に与える。
【００２３】
表示部１０６は、液晶ディスプレイなどの表示装置と、ドライバ部とを含む。ドライバ部は、画像データのデコードを行い、表示装置の各画素電極に対して駆動電圧を印加する。これを受けた表示装置は、印加された駆動電圧に基づいて画像を表示する。これにより、携帯電話１００が保持する各種情報の表示を行うことが可能である。
【００２４】
キー操作部１０７は、ユーザが携帯電話１００に対して、発呼指示や電子メール作成指示等の各種指示を入力するためのものである。キー操作部１０７により入力された指示は主制御部１０１により受け付けられ、指示の内容に基づいて各種制御処理が行われる。
【００２５】
ＲＯＭ１０８は、プログラムや工場出荷時の各種設定情報等、ユーザによる書き換えが行われることのない情報を記録する、読み取り専用の記録媒体である。ＲＯＭ１０８例えば、主制御部１０１が実行するファームウェアプログラム等を記録している。
【００２６】
ＲＡＭ１０９は、主制御部１０１が各種処理を実施する際の処理データを一時的に記録する読み書き可能な記録媒体である。例えばキー制御部１０７が検知したユーザ操作の内容や、ユーザ操作に基づいて設定される各設定項目のＯＮ／ＯＦＦ情報等を記録する。
【００２７】
接触検知部２０１は、図示していないが圧力センサ等のセンサを含む回路で構成される。接触検知部２０１はセンサを用いて、ユーザの身体、例えば手や腕が携帯電話１００の外装に接触しているか否かを検知する。そして検知結果を示す接触検知情報を、主制御部１０１に与える。
【００２８】
表示制御部２０２は、接触検知部２０１が取得した接触検知情報に基づいて、表示部１０６に表示する画像の表示方向を制御する回路である。表示制御部２０２は例えば、画像データに対して回転処理や拡大／縮小処理等の加工処理を施すことにより、表示方向の制御を行う。
【００２９】
〈１−２．表示方向制御処理について〉
ここで、本発明の第一の実施形態に係る携帯電話１００の表示方向制御処理を、図１〜３を用いながら説明する。
【００３０】
図２は、ユーザにより把持された状態の携帯電話１００の外観を示した模式図である。図２（ａ）は、表示部１０６に含まれる液晶パネル１０６ａを正面としている。そして正面から見た長手方向側面を、ユーザが把持している。図中の破線部は、接触検知部２０１に含まれるセンサａ（＝第一センサ）が設けられた位置を示している。センサａは、図中の長手方向側面の一部または全部に設けられている。
【００３１】
図２（ｂ）は、液晶パネル１０６ａを正面とし、正面から見た短手方向側面をユーザが把持している状態を示した、模式図である。図中の破線部は、接触検知部２０１に含まれるセンサｂ（＝第二センサ）が設けられた位置を示している。センサｂは、図中の短手方向側面の一部または全部に設けられている。
【００３２】
図３は、本発明の第一の実施形態に係る表示方向制御処理の処理フローを示したフロー図である。本処理は、携帯電話１００の電源が起動しており、且つ接触検知部２０１が動作している状態において、任意のタイミングで開始することが可能である。
【００３３】
本処理の開始後、接触検知部２０１はステップＳ１１０において、センサａ及びセンサｂを用いて、携帯電話１００の外部側面に対する接触検知を行う。そして接触有無を示す接触検知情報を生成し、主制御部１０１に与える。これを受けた主制御部１０１は、表示制御部２０２に対して、接触検知情報を与える。
【００３４】
接触検知情報を受けた表示制御部２０２は、ステップＳ１２０において、取得した接触検知情報に基づき、ユーザの身体等がセンサａと接触しているか否かを判定する。センサａに接触していることが接触検知情報に示されている場合、表示制御部２０２はステップＳ１２５において、携帯電話１００を正面から見た場合における液晶パネル１０６ａの長手方向が画像の上下方向と一致するように、画像の表示制御を行う。この結果、縦長方向での表示が行われる。
【００３５】
センサａに接触していることが接触検知情報に示されていない場合、表示制御部２０２はステップＳ１２０において、取得した接触検知情報に基づき、ユーザの身体等がセンサｂと接触しているか否かを判定する。
【００３６】
センサｂに接触していることが接触検知情報に示されている場合、表示制御部２０２はステップＳ１３５において、携帯電話１００を正面から見た場合における液晶パネル１０６ａの短手方向が画像の上下方向と一致するように、画像の表示制御を行う。この結果、横長方向での表示が行われる。
【００３７】
センサｂに接触していることが接触検知情報に示されていない場合、表示制御部２０２はステップＳ１４０において、あらかじめ定められたデフォルト方向が画像の上下方向と一致するように、画像の表示制御を行う。
【００３８】
以上に説明した第一の実施形態によれば、携帯電話１００の外部側面に対する接触検知結果から、ユーザがどのように携帯電話１００を把持しているかを判定する。そして縦長方向に把持している場合は縦長方向で表示を行い、横長方向に把持している場合は横長方向で表示を行う。このため例えば、ユーザが横たわった状態で携帯電話１００を操作する場合でも、ユーザの顔の上下方向と画像の上下方向とが一致した状態で画像の表示を行うことができる。
【００３９】
[実施の形態２]
〈２−１．内部構成について〉
ここで、本発明の第二の実施形態に係る携帯電話１００の内部構成を、図４を用いながら説明する。
【００４０】
第二の実施携帯の携帯電話１００は、第一の実施形態の構成（図１）に加え、重力方向検知部３０１を備えている。重力方向検知部３０１は、図示していないが重力センサ、加速度センサ、角速度センサ等のセンサを含む回路で構成される。重力方向検知部３０１はこれらのセンサを用いて、重力方向の検知を行う。そして検知結果を示す重力方向情報を、主制御部１０１に与える。
【００４１】
また、第二の実施形態の接触検知部２０１は、重力方向検知部３０１により検知される重力方向に変化が生じたことをトリガとして接触検知を行い、接触検知情報を主制御部１０１に与える。従って、重力方向の変化が検知されない限りは、表示制御部２０２による表示方向制御も行われない。
【００４２】
〈２−２．表示方向制御処理について〉
ここで、本発明の第二の実施形態に係る携帯電話１００の表示方向制御処理を、図４〜７を用いながら説明する。なお、第一の実施形態と同様の部材及び処理については、同じ符号及びステップ番号を付加することにより、説明を省略する。
【００４３】
図５及び図６は、ユーザにより把持された状態の携帯電話１００の外観を示した模式図である。図５（ａ）は、正面から見た長手方向側面をユーザが把持している。なお、図中の矢印γ１は重力方向を示している。図５（ｂ）は、ユーザが長手方向側面を把持した状態で、矢印γ２の方向へ携帯電話１００を回転させた結果を示している。
【００４４】
また図６（ａ）は、正面から見た短手方向側面をユーザが把持している。図６（ｂ）は、ユーザが短手方向側面を把持した状態で、矢印γ３の方向へ携帯電話１００を回転させた結果を示している。
【００４５】
図７は、本発明の第二の実施形態に係る表示方向制御処理の処理フローを示したフロー図である。本処理は、携帯電話１００の電源が起動しており、且つ重力方向検知部３０１が動作している状態において、任意のタイミングで開始することが可能である。
【００４６】
本処理の開始後、主制御部１０１はステップＳ１０５において、重力方向検知部３０１により検知される重力方向が変化したか否かを判定する。重力方向が変化していない場合、再びステップＳ１０５に移行し、継続して監視を行う。重力方向が変化した場合、主制御部１０１は接触検知部２０１に対して接触検知の実施を指示した後、ステップＳ１１０に移行する。
【００４７】
ステップＳ１１０〜ステップＳ１３５については、第一の実施形態と同様の内容であるため、説明を省略する。ステップＳ１３０においてユーザの身体がセンサｂと接触していないと判定された場合、表示制御部２０２はステップＳ１４５において、重力方向検知部３０１により検知された重力方向と、表示画像の下方向とが一致するように、画像の表示制御を行う。
【００４８】
ステップＳ１２５、ステップＳ１３５、またはステップＳ１４５が実施されると、再びステップＳ１０５に移行する。これにより、重力方向検知部３０１による重力方向の変化検知を、継続して行う。なお本処理は、例えば携帯電話１００の主電源が停止されるまで継続して行われる。或いは、ユーザから本処理の実行停止指示を受け付けるための機能を、主制御部１０１が備える形態でもよい。
【００４９】
以上に説明した実施形態によれば、例えばユーザが携帯電話１００を操作しつつ、座っている状態から横たわった状態となったとしても、ユーザが把持している位置が変わらない限り、画像の表示方向の切り替えが行われない。また、把持している位置が変わったとしても、重力方向が変わらない限り、画像の表示方向の切り替えが行われない。従って、画像の表示方向が不必要に切り替わることを回避できる。
【００５０】
さらに、就寝直前など、寝室の照明を消灯してユーザが横たわった状態で携帯電話１００を操作する場合のように、暗い場所で視認方向が変化した場合であっても、ユーザがどのように携帯電話１００を把持しているかを判定し、好適な表示方向に切り替えることが可能である。
【００５１】
［その他の実施の形態］
以上、好ましい実施の形態及び実施例を挙げて本発明を説明したが、本発明は必ずしも上記実施の形態に限定されるものではなく、その技術的思想の範囲内において様々に変形して実施することができる。
【００５２】
従って本発明は、以下の形態にも適用可能である。
（Ａ）本実施形態では、接触検知部２０１が接触を検知するセンサとして圧力センサを例に挙げているが、これ以外のセンサにより携帯電話１００に対する接触を検知する形態でもよい。例えば、赤外線センサやサーモセンサ等を備え、これらのセンサにより携帯電話１００に対する接触を検知する形態でもよい。
【００５３】
（Ｂ）上記実施形態では、表示方向の切替処理に関わる各機能部、例えば接触検知部２０１等が回路により実現されているが、マイクロプロセッサ等の演算処理装置上でプログラムを実行することによりこれらの機能部が実現される形態でもよい。
【００５４】
（Ｃ）上記実施形態では、表示方向の切替処理を実施する携帯端末装置として携帯電話１００を例示しているが、本発明はこの形態に限定されるものではなく、例えばＰＨＳ、ＰＤＡ、ハンドヘルドＰＣ等において実施される形態でもよい。
【００５５】
（Ｄ）上記実施形態では、センサが携帯電話１００の外部側面に設けられているが、センサを設ける位置はこれに限らず、例えば外部正面や外部背面にセンサが備えられている形態でもよい。
【図面の簡単な説明】
【００５６】
【図１】第一の実施形態に係る携帯端末装置が備える機能部の構成を示す機能ブロック図である。
【図２】第一の実施形態に係る携帯端末装置の把持された状態を示す模式図である。
【図３】第一の実施形態に係る表示方向制御処理の処理フローを示すフロー図である。
【図４】第二の実施形態に係る携帯端末装置が備える機能部の構成を示す機能ブロック図である。
【図５】第二の実施形態に係る携帯端末装置の把持された状態を示す模式図である。
【図６】第二の実施形態に係る携帯端末装置の把持された状態を示す模式図である。
【図７】第二の実施形態に係る表示方向制御処理の処理フローを示すフロー図である。
【符号の説明】
【００５７】
１００  携帯電話（携帯端末装置）
１０１  主制御部
１０２  アンテナ
１０３  通信制御部
１０４  スピーカ部
１０５  音声入力部
１０６  表示部
１０７  キー操作部
１０８  ＲＯＭ
１０９  ＲＡＭ
２０１  接触検知部
２０２  表示制御部
３０１  重力方向検知部
【図１】
2010113503.tif 000003
【図２】
2010113503.tif 000004
【図３】
2010113503.tif 000005
【図４】
2010113503.tif 000006
【図５】
2010113503.tif 000007
【図６】
2010113503.tif 000008
【図７】
2010113503.tif 000009